(57)【要約】  浮遊式モジュールは、上側半部分と下側半部分とを含む。上側半部分は、フランジが下方に延びた一方の縁を含むのに対して、下側半部分は、上向きフランジを含む反対側の縁を含む。上部フランジと下部フランジを別のフランジから嵌め込むことによって、モジュールを相互接続することができる。プラットフォームが水中に配置されるときに、空洞内に水が閉じ込められるように、モジュールの下面に空洞が形成される。空洞と流体連通するように配置された一方向逆止弁を用いることによって、ハイドロロックが生じ、プラットフォームの水中での配置時に空洞から水が漏れることが防止される。【選択図】図１
2018503562.tif 000002
【特許請求の範囲】
【請求項１】
ａ．上向き面及び第１の細長い縁を有する上部と、
ｂ．下向き面、及び前記第１の細長い縁とは反対側に位置する第２の細長い縁を有する下部と、
ｃ．前記第１の細長い縁から下方に延びる第１のフランジと、
ｄ．前記第２の細長い縁から上方に延びる第２のフランジと、
ｅ．前記下部に形成され、それぞれ第１の所定の深さ及び形状である第１の空洞及び第２の空洞であり、前記第１の空洞が前記第２の細長い縁と同一線上に延び、前記第２の空洞が前記第１の細長い縁と平行にかつ隣接して延びる前記第１の空洞及び前記第２の空洞と、
ｆ．前記第１の空洞と前記第２の空洞との間において前記下部に形成され、第２の所定の深さ及びサイズである第３の空洞と、
を備える浮遊式モジュール。
【請求項２】
前記第１のフランジ及び前記第２のフランジのうちの少なくとも１つに接続された緩衝器をさらに備える、請求項１に記載の浮遊式モジュール。
【請求項３】
前記緩衝器が管状である、請求項２に記載の浮遊式モジュール。
【請求項４】
前記第１の空洞、前記第２の空洞及び前記第３の空洞のうちの少なくとも１つと流体連通するように配置された、少なくとも１つの逆止弁をさらに備える、請求項１に記載の浮遊式モジュール。
【請求項５】
前記第１の空洞、前記第２の空洞及び前記第３の空洞のうちの少なくとも１つと流体連通するように動作可能に取り付けられた真空ポンプをさらに備える、請求項４に記載の浮遊式モジュール。
【請求項６】
前記上部の前記上向き面に形成されたさら穴状開口群をさらに備える、請求項１に記載の浮遊式モジュール。
【請求項７】
前記第１の空洞及び前記第２の空洞はそれぞれ、三角形状の断面部分と、線状の細長い形状の断面部分と、を含む、請求項１に記載の浮遊式モジュール。
【請求項８】
前記第１の所定の深さが、前記第２の所定の深さよりも大きい、請求項１に記載の浮遊式モジュール。
【請求項９】
前記上部及び前記下部内に膨張性発泡体が格納される、請求項１に記載の浮遊式モジュール。
【請求項１０】
ａ．第１の浮遊式モジュールであり、
ｉ．第１の上向き面及び第１の細長い縁を有する第１の浮遊式モジュール上部と、
ｉｉ．第２の下向き面、及び前記第１の細長い縁とは反対側に位置する第２の細長い縁を有する第１の下部と、
ｉｉｉ．前記第１の細長い縁から下方に延びる第１のフランジと、
ｉｖ．前記第２の細長い縁から上方に延びる第２のフランジと、
を備えた前記第１の浮遊式モジュールと、
ｂ．第２の浮遊式モジュールであり、
ｉ．第２の上向き面及び第３の細長い縁を有する第２の上部と、
ｉｉ．第２の下向き面、及び前記第３の細長い縁とは反対側に位置する第４の細長い縁を有する第２の下部と、
ｉｉｉ．前記第３の細長い縁から下方に延びる第３のフランジと、
ｉｖ．前記第４の細長い縁から上方に延びる第４のフランジと、
を備えた前記第２の浮遊式モジュールと、
を備え、
ｃ．前記第１の浮遊式モジュールの前記第１のフランジが、前記第２の浮遊式モジュールの前記第４のフランジを確実に嵌め込むモジュール型浮遊式プラットフォーム。
【請求項１１】
請求項１０に記載のモジュール型浮遊式プラットフォームが、
ａ．前記第１の浮遊式モジュールであり、さらに、
ｉ．前記第１の下部に形成され、それぞれ第１の所定の深さ及び形状である第１の空洞及び第２の空洞であり、前記第１の空洞が前記第２の細長い縁と同一線上に延び、前記第２の空洞が前記第１の細長い縁と平行にかつ隣接して延びる前記第１の空洞及び前記第２の空洞と、
ｉｉ．前記第１の空洞と前記第２の空洞との間において前記第１の下部に形成され、第２の所定の深さ及びサイズである第３の空洞と、
を備えた前記第１の浮遊式モジュールと、
ｂ．前記第２の浮遊式モジュールであり、さらに、
ｉ．前記第２の下部に形成され、それぞれ前記第１の所定の深さ及び形状である第４の空洞及び第５の空洞であり、前記第４の空洞が前記第４の細長い縁と同一線上に延び、前記第５の空洞が前記第３の細長い縁と平行にかつ隣接して延びる前記第４の空洞及び前記第５の空洞と、
ｉｉ．前記第３の空洞と前記第４の空洞との間において前記下部に形成され、前記第２の所定の深さ及びサイズである第６の空洞と、
を備えた前記第２の浮遊式モジュールと、
をさらに備える前記モジュール型浮遊式プラットフォーム。
【請求項１２】
前記第１の空洞、前記第２の空洞及び前記第３の空洞のうちの少なくとも１つと流体連通するように配置された少なくとも１つの第１の逆止弁と、前記第４の空洞、前記第５の空洞及び前記第６の空洞のうちの少なくとも１つと流体連通するように配置された少なくとも１つの第２の逆止弁と、をさらに備える、請求項１１に記載のモジュール型浮遊式プラットフォーム。
【請求項１３】
前記第１の空洞、前記第２の空洞及び前記第３の空洞のうちの少なくとも１つと流体連通するように動作可能に取り付けられた第１の真空ポンプと、前記第４の空洞、前記第５の空洞及び前記第６の空洞のうちの少なくとも１つと流体連通するように動作可能に取り付けられた第２の真空ポンプと、をさらに備える、請求項１２に記載のモジュール型浮遊式プラットフォーム。
【請求項１４】
前記第１の所定の深さが、前記第２の所定の深さよりも大きい、請求項１１に記載のモジュール型浮遊式プラットフォーム。
【請求項１５】
前記第１の浮遊式モジュールと前記第２の浮遊式モジュールとの間に確実に位置決めされた緩衝器をさらに備える、請求項１０に記載のモジュール型浮遊式プラットフォーム。
【請求項１６】
前記緩衝器の断面が管状である、請求項１５に記載のモジュール型浮遊式プラットフォーム。
【請求項１７】
前記第１の上部の前記第１の上向き面に形成された第１のさら穴状開口群と、前記第２の上部の前記第２の上向き面に形成された第２のさら穴状開口群と、をさらに備える、請求項１０に記載のモジュール型浮遊式プラットフォーム。
【請求項１８】
前記第１の空洞、前記第２の空洞、前記第４の空洞及び前記第５の空洞はそれぞれ、三角形状の断面部分と、線状の細長い形状の断面部分と、を含む、請求項１０に記載のモジュール型浮遊式プラットフォーム。
【請求項１９】
前記上部及び前記下部内に膨張性発泡体が格納される、請求項１０に記載のモジュール型浮遊式プラットフォーム。
【発明の詳細な説明】
【技術分野】
【０００１】
関連出願の参照
本出願は、２０１５年１月２８日に出願された本出願人による同時係属中の米国仮出願第６２／１０８，７０６号に関するとともに、当該仮出願の優先権を主張し、当該仮出願の全体は、参照により本明細書に援用される。
【０００２】
本発明は、概して、浮遊式プラットフォームモジュール(floating platform modules)に関し、具体的には、別個に、又は所望のサイズ及び構成のカスタマイズされた浮遊式プラットフォームを形成するように他の同様のモジュールと連結して用いることができる浮遊式プラットフォームモジュールに関する。
【背景技術】
【０００３】
支持構造体及びデッキと連結された浮遊式プラットフォームは、多くの船舶用途に用いられている。このような浮遊体の一般的な用途は、船舶用工具を利用するための、浮きドック、ボートスリップ、プラットフォームなどとしての使用である。
【０００４】
例えば、浮きドックは、一般に、水深の著しい変化に対して影響を受けやすい水域、並びにメンテナンス及び／又は季節的な理由によりドックを取り外すことが望ましい場所で用いられている。少なくとも限定的な水位、波の動き及び満ち潮と引き潮に伴って上昇及び下降特性を有する浮きドックにより、固定ドックに係留された小型船に生じる破損は、ドックの高さが水深の変化に伴って変化する場合にも、はるかに深刻ではないことが多い。加えて、例えば数か月間の寒い時期に海岸線に沿って氷が形成するような地域では、恒久的に設置されたドックが破損することがあるが、浮きドックは通常、水から移動可能であり、その結果、適切に維持することができ、水の凍結融解による破損を受けることがない。
【発明の概要】
【発明が解決しようとする課題】
【０００５】
浮きドックの欠点の一つは、固定されたその相当物と比較して、浮きドックが、コンクリート杭又は他の固体基礎構造体とは対照的に、浮力が浮きドックをその位置に維持する主な力であることにより、安定性が低いことである。このため、浮きドックの安定性の改善は、常に、望まれたイノベーションである。
【０００６】
本発明の主な目的及び利点は、安定した浮遊式プラットフォームモジュールを提供することである。
【０００７】
本発明の更なる目的及び利点は、所望のサイズ及び構成の安定した浮遊式プラットフォームを形成するように、他のモジュールに相互接続することが可能なモジュールを提供することである。
【０００８】
本発明の付加的な目的及び利点は、所望に応じてデッキボードを容易に取り付け及び取り外すことが可能な浮遊式プラットフォームモジュールを提供することである。
【０００９】
本発明の他の目的及び利点は、一部は自明であり、一部は以下に明らかになる。
【課題を解決するための手段】
【００１０】
前述の目的及び利点によれば、本発明は、所望のサイズ及び構成の浮遊式プラットフォームを構築することが可能な浮遊式プラットフォームモジュール及びプラットフォームモジュールのシステムを提供する。浮遊式プラットフォームモジュール、及びモジュールから構築される浮遊式プラットフォームは、水中に配置されるときに安定している。
【００１１】
本発明の態様において、浮遊式プラットフォームモジュールは、上向き面及び第１の細長い縁を有する上部と、下向き面、及び第１の細長い縁とは反対側に位置する第２の細長い縁を有する下部と、第１の細長い縁から下方に延びる第１のフランジと、第２の細長い縁から上方に延びる第２のフランジと、下部に形成され、それぞれ第１の所定の深さ及び形状である第１の空洞及び第２の空洞であり、第１の空洞が第２の細長い縁と同一線上に延び、そして、第２の空洞が第１の細長い縁と平行にかつ隣接して延びる第１の空洞及び第２の空洞と、第１の空洞と第２の空洞との間において下部に形成され、第２の所定の深さ及びサイズである第３の空洞と、を含む。水中に配置されると、プラットフォームモジュールの浮力によって、水位がプラットフォームモジュールの側壁に沿って所定の深さまで上昇するように、プラットフォームモジュールが部分的に沈む。水は、プラットフォームを安定させるように機能する、第１の空洞、第２の空洞及び第３の空洞に入る。
【００１２】
一実施形態において、プラットフォームモジュールは、さらに、貫通して形成された複数の通気穴を含み、当該通気穴には一方向逆止弁が配置される。通気穴及び逆止弁は、プラットフォームが水中に沈められるときに、及び空気が通過できない空洞に水が充填する際に、空気を逆止弁に通すように、第１の空洞、第２の空洞及び第３の空洞に対して位置が決定及び調整され、これによって、ハイドロロック(hydro-lock)が生じ、空洞内に水が閉じ込められる。空洞内に残存し得る残留空気を逃がすように、任意の真空ポンプを利用することもできる。
【００１３】
一実施形態において、第１の空洞及び第２の空洞の所定の形状は、上方に延びるスロットを有する三角形である。プラットフォームモジュールが水中に配置されると、水位は、スロットの高さよりも低い高さで維持される。このため、空洞内に閉じ込められた水は、プラットフォームが浮遊している外部の水位よりも高い高さにあり、これによって、プラットフォームに荷重がかかると、プラットフォームの安定性が更に増す。
【００１４】
別の態様において、複数の浮遊式プラットフォームモジュールをともに所望のサイズ及び構成に連結することができ、これにより、モジュールを用いて、カスタマイズされたサイズ及び形状のドックを組み立てることができる。水中での移動及び摩擦又は互いの衝突による破損からモジュールを保護するように、ゴム緩衝器をモジュールの縁に沿って取り付けて、このような振動を吸収することができる。
【００１５】
本発明は、添付図面とともに次の詳細な説明を読むことによって、更に十分に理解及び認識される。
【図面の簡単な説明】
【００１６】
【図１】本発明の態様に係る浮遊式プラットフォームモジュールの斜視図である。
【００１７】
【図２】図１の切断線２‐２に沿った断面図である。
【００１８】
【図３】本発明の態様に係る浮遊式プラットフォームモジュールの端面図である。
【００１９】
【図４】本発明の態様に係る浮遊式プラットフォームモジュールの上面図である。
【００２０】
【図５】本発明の態様に係る浮遊式プラットフォームモジュールの底面図である。
【００２１】
【図６】本発明の態様に係る、大きな浮遊構造体を形成するようにともに連結された、複数の浮遊式プラットフォームモジュールの斜視図である。
【００２２】
【図７】本発明の態様に係る複数の浮遊式プラットフォームモジュールの上面図である。
【００２３】
【図８】図１の丸で囲んだ部分の拡大部分図である。
【００２４】
【図９】図６の丸で囲んだ部分の拡大部分図である。
【発明を実施するための形態】
【００２５】
ここで図面を参照すると、全体を通して、同様の参照符号は同様の部分を意味し、図１〜６には、参照符号１０により通常表されている浮遊式プラットフォームモジュールが提供され、示されている。浮遊式プラットフォームモジュール１０は、他のモジュール１０に相互接続され、図６及び７に示されている所望のサイズ及び構成の浮遊式プラットフォームを形成することができる。加えて、プラットフォームモジュール１０は、浮きドック又は他の船舶用支持構造体として利用される不可欠な浮遊体、支持構造体及びプラットフォームを含むが、付加構造体を有する浮遊体、及び／又はプラットフォーム面が一体化された浮遊体としてのみ利用することもできる。
【００２６】
浮遊式プラットフォームモジュール１０は、２つの半部分、すなわち、上側部分１２と基部１４（好ましい形態では、これは単一の一体型構造からなるが、ともに連結された２つ（又はそれ以上）の別個の部分であってもよいことに留意すべきである。）からなる一体ユニットを備えている。上側部分１２と基部１４は、上側部分１２の端部１６が基部１４の上に張り出し、そして、基部１４の反対側の端部１８が、上側部分１２の対応する縁を越えて延びるように配置される。フランジ２０は、端部１６から下方にかつ端部１６にわたって延びているのに対して、フランジ２２は、端部１８の縁から上方にかつ端部１８の縁にわたって延びている。２つのモジュールをともに相互接続するとき、１つのモジュール１０のフランジ２０は、隣接するモジュール１０からフランジ２２を嵌め込み、２つのモジュール間の確実な相互接続の一部を提供する。
【００２７】
図２から最も明確に理解されるように、基部１４の底面は、モジュール１０の長手方向軸線Ｘ‐Ｘと平行な対向する縁に沿って延びるチャネル２４、２６を備え、チャネル２４はフランジ２２内に延びている。チャネル２４及び２６はそれぞれ三角形状に形成されているが、モジュール１０が延びる面に交わる面において、三角形状の端部を越えて延びる細長いスロットを有している。水中に配置されると、プラットフォームモジュールは、水位（ＷＬ）が所定の量（例えば、４”〜６”）だけ底面よりも上にある高さまで、水中に部分的に沈む。水中に部分的に沈められると、水は空洞２４及び２６を充填し、モジュール１０が水に浮く際に、モジュール１０に安定性を提供する。加えて、基部１４の底面の中央部分には、水に浮かぶ際にモジュール１０に更なる安定性を提供するように、空洞２７も形成されている。水位に対して、チャネル２４及び２６に形成された、上方に延びるスロットは、水位線よりも上に所定の距離（Ｄ）延びている。一実施形態において、空洞２７の深さは、水位線（ＷＬ）よりも下にある所定の距離（ｄ）である。水位線ＷＬに対する空洞２４、２６及び２７によって提供される相対距離ｄ及びＤは、（例えば、プラットフォームモジュール１０の上を人が歩行することによって）プラットフォームモジュールに荷重がかかるときであっても、水中でプラットフォームモジュールを安定させるのに有用である。別の実施形態において、空洞２７は、その深さが水位線ＷＬよりも上に延びるように形成される。水位線よりも上にある空間内の空気を排出させ、水を充填することによって、追加の水は、プラットフォームの安定を促進する更なるバラストとして有用になる。
【００２８】
図１、４、５及び８に関して、一連の通気穴２８がモジュール１０を貫通するように形成され、空洞２４、２６及び２７内に延びている。それぞれ通気穴には、空気が空洞から出るが上方から入り得ない一方向逆止弁３０がある。このため、水が空洞２４、２６及び２７を充填すると、空気は、水が空洞を完全に充填するまで、逆止弁３０によって押し出される。逆止弁３０によって空気が戻ることができないため、水は空洞内に閉じ込められるようになり、これによって、更に静荷重が加わり、このため、モジュール１０の安定性は、水によるものである。更なる態様として、空洞内に残存する可能性がある残留空気を逃すように、又は、空洞内に水を注入し空洞を完全に水が占めるようにするように、任意の真空ポンプ３１（図８を参照）を利用することができる。
【００２９】
上側部分１２の上向き面の２つの隣接する縁に沿って、あらかじめ穿孔された一連のさら穴３２が形成される。これらの開口３２によって、隔壁をプラットフォームに迅速かつ容易に取り付けることができる。
【００３０】
プラットフォームモジュール１０の上向き面は、外部ボードを取り付けるか又はデッキを取り付ける必要なしに、歩行するか又は荷重をかけるのに適しているが、美観のためにデッキの取り付けが必要な場合は、容易かつ迅速にデッキを取り付けることができることに留意すべきである。
【００３１】
図６及び７を参照すると、一連のプラットフォームモジュール１０は相互接続され、示されている、例えば図示されている複数のボートスリップを含んだものを含む、所望のサイズ及び構成の、更に大きなプラットフォームを形成することができる。図９から理解されるように、隣接するモジュール間で、管状のゴム緩衝材３４は、隣接するモジュール１０に対する１つのモジュール１０の移動からの衝撃を吸収するように配置されている。緩衝器３４は、断面が四角形であるように示されているが、それぞれ円形か又は他の形状であってもよく、緩衝器には開口が含まれてもよく、開口内にはファスナが通り、ファスナは緩衝器をモジュールに確実に相互接続することできる。前述したように、隣接するモジュールは、１つのモジュールのフランジ２０が、隣接するモジュールからフランジ２２と重なってこれを嵌め込んで、２つのモジュール間を更に確実に相互接続するように、又は、上部から張り出した縁が、２つの部分と、確実に相互接続するのに用いられるファスナとの間に挟まれた緩衝器とともに、下部からフランジ２２にわたって延び得るように、配置される。
【００３２】
別の態様では、場合により、製造時に、膨張性発泡体(expandable foam)をモジュール１０の本体に注入してもよい。膨張性発泡体によって、モジュールの浮力及び密度レベルが増し、さらに、本発明の有用性も増す。
【図１】
2018503562.tif 000003
【図２】
2018503562.tif 000004
【図３】
2018503562.tif 000005
【図４】
2018503562.tif 000006
【図５】
2018503562.tif 000007
【図６】
2018503562.tif 000008
【図７】
2018503562.tif 000009
【図８】
2018503562.tif 000010
【図９】
2018503562.tif 000011
【手続補正書】
【提出日】平成29年9月29日(2017.9.29)
【手続補正１】
【補正対象書類名】明細書
【補正対象項目名】００１１
【補正方法】変更
【補正の内容】
【００１１】
本発明の態様において、浮遊式プラットフォームモジュールは、上向き面及び第１の細長い縁を有する上部と、下向き面、及び第１の細長い縁とは反対側に位置する第２の細長い縁を有する下部と、第１の細長い縁から下方に延びる第１のフランジと、第２の細長い縁から上方に延びる第２のフランジと、下部に形成され、それぞれ第１の所定の深さ及び形状である第１のチャネル及び第２のチャネルであり、第１のチャネルが第２の細長い縁と同一線上に延び、そして、第２のチャネルが第１の細長い縁と平行にかつ隣接して延びる第１のチャネル及び第２のチャネルと、第１のチャネルと第２のチャネルとの間において下部に形成され、第２の所定の深さ及びサイズである空洞と、を含む。水中に配置されると、プラットフォームモジュールの浮力によって、水位がプラットフォームモジュールの側壁に沿って所定の深さまで上昇するように、プラットフォームモジュールが部分的に沈む。水は、プラットフォームを安定させるように機能する、第１のチャネル及び第２のチャネル並びに空洞に入る。
【手続補正２】
【補正対象書類名】明細書
【補正対象項目名】００１２
【補正方法】変更
【補正の内容】
【００１２】
一実施形態において、プラットフォームモジュールは、さらに、貫通して形成された複数の通気穴を含み、当該通気穴には一方向逆止弁が配置される。通気穴及び逆止弁は、プラットフォームが水中に沈められるときに、及び空気が通過できないチャネル及び空洞に水が充填する際に、空気を逆止弁に通すように、第１のチャネル及び第２のチャネル並びに空洞に対して位置が決定及び調整され、これによって、ハイドロロック(hydro-lock)が生じ、チャネル及び空洞内に水が閉じ込められる。チャネル及び空洞内に残存し得る残留空気を逃がすように、任意の真空ポンプを利用することもできる。
【手続補正３】
【補正対象書類名】明細書
【補正対象項目名】００１３
【補正方法】変更
【補正の内容】
【００１３】
一実施形態において、第１のチャネル及び第２のチャネルの所定の形状は、上方に延びるスロットを有する三角形である。プラットフォームモジュールが水中に配置されると、水位は、スロットの高さよりも低い高さで維持される。このため、チャネル内に閉じ込められた水は、プラットフォームが浮遊している外部の水位よりも高い高さにあり、これによって、プラットフォームに荷重がかかると、プラットフォームの安定性が更に増す。
【手続補正４】
【補正対象書類名】明細書
【補正対象項目名】００２６
【補正方法】変更
【補正の内容】
【００２６】
浮遊式プラットフォームモジュール１０は、２つの半部分、すなわち、上側部分１２と基部１４（好ましい形態では、これは単一の一体型構造からなるが、ともに連結された２つ（又はそれ以上）の別個の部分であってもよいことに留意すべきである。）からなる一体ユニットを備えている。上側部分１２と基部１４は、上側部分１２の第１の細長い縁１６が基部１４の上に張り出し、そして、基部１４の反対側に並列する第２の細長い縁１８が、上側部分１２の対応する縁を越えて延びるように配置される。フランジ２０は、第１の細長い縁１６から下方にかつ第１の細長い縁にわたって延びているのに対して、フランジ２２は、第２の細長い縁１８の縁から上方にかつ第２の細長い縁の縁にわたって延びている。２つのモジュールをともに相互接続するとき、１つのモジュール１０のフランジ２０は、隣接するモジュール１０からフランジ２２を嵌め込み、２つのモジュール間の確実な相互接続の一部を提供する。例えば、図６及び９に示されているように、第１のモジュールの第１の細長い縁１６から延びるフランジ２０は、第２のモジュールの第４の細長い縁３８のフランジ２２と嵌合する。また、第１のモジュールの第２の細長い縁１８及び第２のモジュールの第３の細長い縁３６もそれぞれ、付加的なモジュールを同様に接続することができる。
【手続補正５】
【補正対象書類名】明細書
【補正対象項目名】００２７
【補正方法】変更
【補正の内容】
【００２７】
図２から最も明確に理解されるように、基部１４の底面は、モジュール１０の長手方向軸線Ｘ‐Ｘと平行な対向する縁に沿って延びるチャネル２４、２６を備え、チャネル２６はフランジ２２内に延びている。チャネル２４及び２６はそれぞれ三角形状に形成されているが、モジュール１０が延びる面に交わる面において、三角形状の端部を越えて延びる細長いスロットを有している。水中に配置されると、プラットフォームモジュールは、水位（ＷＬ）が所定の量（例えば、４”〜６”）だけ底面よりも上にある高さまで、水中に部分的に沈む。水中に部分的に沈められると、水はチャネル２４及び２６を充填し、モジュール１０が水に浮く際に、モジュール１０に安定性を提供する。加えて、基部１４の底面の中央部分には、水に浮かぶ際にモジュール１０に更なる安定性を提供するように、空洞２７も形成されている。水位に対して、チャネル２４及び２６に形成された、上方に延びるスロットは、水位線よりも上に所定の距離（Ｄ）延びている。一実施形態において、空洞２７の深さは、水位線（ＷＬ）よりも下にある所定の距離（ｄ）である。水位線ＷＬに対するチャネル２４及び２６並びに空洞２７によって提供される相対距離ｄ及びＤは、（例えば、プラットフォームモジュール１０の上を人が歩行することによって）プラットフォームモジュールに荷重がかかるときであっても、水中でプラットフォームモジュールを安定させるのに有用である。別の実施形態において、空洞２７は、その深さが水位線ＷＬよりも上に延びるように形成される。水位線よりも上にある空間内の空気を排出させ、水を充填することによって、追加の水は、プラットフォームの安定を促進する更なるバラストとして有用になる。
【手続補正６】
【補正対象書類名】明細書
【補正対象項目名】００２８
【補正方法】変更
【補正の内容】
【００２８】
図１、４、５及び８に関して、一連の通気穴２８がモジュール１０を貫通するように形成され、チャネル２４及び２６並びに空洞２７内に延びている。それぞれ通気穴には、空気がチャネル及び空洞から出るが上方から入り得ない一方向逆止弁３０がある。このため、水がチャネル２４及び２６並びに空洞２７を充填すると、空気は、水が空洞を完全に充填するまで、逆止弁３０によって押し出される。逆止弁３０によって空気が戻ることができないため、水は空洞及びチャネル内に閉じ込められるようになり、これによって、更に静荷重が加わり、このため、モジュール１０の安定性は、水によるものである。更なる態様として、チャネル及び空洞内に残存する可能性がある残留空気を逃すように、又は、空洞及びチャネル内に水を注入し空洞及びチャネルを完全に水が占めるようにするように、任意の真空ポンプ３１（図８を参照）を利用することができる。
【手続補正７】
【補正対象書類名】特許請求の範囲
【補正対象項目名】全文
【補正方法】変更
【補正の内容】
【特許請求の範囲】
【請求項１】
ａ．上向き面及び第１の細長い縁を有する上部と、
ｂ．下向き面、及び前記第１の細長い縁とは反対側に並列して位置する第２の細長い縁を有する下部と、
ｃ．前記第１の細長い縁から下方に延びる第１のフランジと、
ｄ．前記第２の細長い縁から上方に延びる第２のフランジと、
ｅ．前記下部に形成され、それぞれ第１の所定の深さ及び形状である第１のチャネル及び第２のチャネルであり、前記第１のチャネルが前記第２の細長い縁と同一線上に延び、前記第２のチャネルが前記第１の細長い縁と平行にかつ隣接して延びる前記第１のチャネル及び前記第２のチャネルと、
ｆ．前記第１のチャネルと前記第２のチャネルとの間において前記下部に形成され、第２の所定の深さ及びサイズである空洞と、
を備える浮遊式モジュール。
【請求項２】
前記第１のフランジ及び前記第２のフランジのうちの少なくとも１つに接続された緩衝器をさらに備える、請求項１に記載の浮遊式モジュール。
【請求項３】
前記緩衝器が管状である、請求項２に記載の浮遊式モジュール。
【請求項４】
前記第１のチャネル、前記第２のチャネル及び前記空洞のうちの少なくとも１つと流体連通するように配置された、少なくとも１つの逆止弁をさらに備える、請求項１に記載の浮遊式モジュール。
【請求項５】
前記第１のチャネル、前記第２のチャネル及び前記空洞のうちの少なくとも１つと流体連通するように動作可能に取り付けられた真空ポンプをさらに備える、請求項４に記載の浮遊式モジュール。
【請求項６】
前記上部の前記上向き面に形成されたさら穴状開口群をさらに備える、請求項１に記載の浮遊式モジュール。
【請求項７】
前記第１のチャネル及び前記第２のチャネルはそれぞれ、三角形状の断面部分と、線状の細長い形状の断面部分と、を含む、請求項１に記載の浮遊式モジュール。
【請求項８】
前記第１の所定の深さが、前記第２の所定の深さよりも大きい、請求項１に記載の浮遊式モジュール。
【請求項９】
前記上部及び前記下部内に膨張性発泡体が格納される、請求項１に記載の浮遊式モジュール。
【請求項１０】
ａ．第１の浮遊式モジュールであり
ｉ．第１の上向き面及び第１の細長い縁を有する第１の浮遊式モジュール上部と、
ｉｉ．第２の下向き面、及び前記第１の細長い縁とは反対側に並列して位置する第２の細長い縁を有する第１の下部と、
ｉｉｉ．前記第１の細長い縁から下方に延びる第１のフランジと、
ｉｖ．前記第２の細長い縁から上方に延びる第２のフランジと、
を備えた前記第１の浮遊式モジュールと、
ｂ．第２の浮遊式モジュールであり、
ｉ．第２の上向き面及び第３の細長い縁を有する第２の上部と、
ｉｉ．第２の下向き面、及び前記第３の細長い縁とは反対側に並列して位置する第４の細長い縁を有する第２の下部と、
ｉｉｉ．前記第３の細長い縁から下方に延びる第３のフランジと、
ｉｖ．前記第４の細長い縁から上方に延びる第４のフランジと、
を備えた前記第２の浮遊式モジュールと、
ｃ．前記第１のフランジに接続され、前記第１のフランジに沿って延びる緩衝器と、
を備え、
ｄ．前記緩衝器が前記第１の細長い縁と前記第４の縁との間にあるように、前記第１の浮遊式モジュールの前記第１のフランジが、前記第２の浮遊式モジュールの前記第４のフランジを確実に嵌め込むモジュール型浮遊式プラットフォーム。
【請求項１１】
請求項１０に記載のモジュール型浮遊式プラットフォームが、
ａ．前記第１の浮遊式モジュールであり、さらに、
ｉ．前記第１の下部に形成され、それぞれ第１の所定の深さ及び形状である第１のチャネル及び第２のチャネルであり、前記第１のチャネルが前記第２の細長い縁と同一線上に延び、前記第２のチャネルが前記第１の細長い縁と平行にかつ隣接して延びる前記第１のチャネル及び前記第２のチャネルと、
ｉｉ．前記第１のチャネルと前記第２のチャネルとの間において前記第１の下部に形成され、第２の所定の深さ及びサイズである第１の空洞と、
を備えた前記第１の浮遊式モジュールと、
ｂ．前記第２の浮遊式モジュールであり、さらに、
ｉ．前記第２の下部に形成され、それぞれ前記第１の所定の深さ及び形状である第４のチャネル及び第５のチャネルであり、前記第４のチャネルが前記第４の細長い縁と同一線上に延び、前記第５のチャネルが前記第３の細長い縁と平行にかつ隣接して延びる前記第４のチャネル及び前記第５のチャネルと、
ｉｉ．前記第３のチャネルと前記第４のチャネルとの間において前記下部に形成され、前記第２の所定の深さ及びサイズである第２の空洞と、
を備えた前記第２の浮遊式モジュールと、
をさらに備える前記モジュール型浮遊式プラットフォーム。
【請求項１２】
前記第１のチャネル、前記第２のチャネル及び前記第１の空洞のうちの少なくとも１つと流体連通するように配置された少なくとも１つの第１の逆止弁と、前記第４のチャネル、前記第５のチャネル及び前記第２の空洞のうちの少なくとも１つと流体連通するように配置された少なくとも１つの第２の逆止弁と、をさらに備える、請求項１１に記載のモジュール型浮遊式プラットフォーム。
【請求項１３】
前記第１のチャネル、前記第２のチャネル及び前記第１の空洞のうちの少なくとも１つと流体連通するように動作可能に取り付けられた第１の真空ポンプと、前記第４のチャネル、前記第５のチャネル及び前記第２の空洞のうちの少なくとも１つと流体連通するように動作可能に取り付けられた第２の真空ポンプと、をさらに備える、請求項１２に記載のモジュール型浮遊式プラットフォーム。
【請求項１４】
前記第１の所定の深さが、前記第２の所定の深さよりも大きい、請求項１１に記載のモジュール型浮遊式プラットフォーム。
【請求項１５】
前記第２のフランジに接続され、前記第２のフランジに沿って延びる第２の緩衝器をさらに備える、請求項１０に記載のモジュール型浮遊式プラットフォーム。
【請求項１６】
前記緩衝器の断面が管状である、請求項１０に記載のモジュール型浮遊式プラットフォーム。
【請求項１７】
前記第１の上部の前記第１の上向き面に形成された第１のさら穴状開口群と、前記第２の上部の前記第２の上向き面に形成された第２のさら穴状開口群と、をさらに備える、請求項１０に記載のモジュール型浮遊式プラットフォーム。
【請求項１８】
前記第１のチャネル、前記第２のチャネル、前記第４のチャネル及び前記第５のチャネルはそれぞれ、三角形状の断面部分と、線状の細長い形状の断面部分と、を含む、請求項１１に記載のモジュール型浮遊式プラットフォーム。
【請求項１９】
前記第１の上部及び前記第２の上部、並びに前記第１の下部及び前記第２の下部内に膨張性発泡体が格納される、請求項１０に記載のモジュール型浮遊式プラットフォーム。
【国際調査報告】
2018503562.tif 000012
2018503562.tif 000013